(57)【要約】      （修正有）【課題】粘着シートの中央に粒針が設けられた装飾を兼ねた耳つぼ用の押圧具を剥がしやすくした台紙付き耳つぼ押圧具を提供する。【解決手段】粘着面が裏面側に形成されたシート体１０と、前記シート体１０の裏面側に固定される先端に押圧部を有する押圧体２０と、前記シート体１０の表面側に固定される装飾体３０とからなる耳つぼ用押圧具Ｘ１と、表面が前記粘着面に対して剥離容易に形成される台紙Ｘ２であって、前記押圧体２０が貫通する１以上の貫通孔６０と、貫通孔６０から台紙Ｘ２の縁部に至る切れ込みとを有する台紙Ｘ２とから構成され、１以上の前記耳つぼ押圧具Ｘ１を、前記各貫通孔６０に前記押圧体２０を台紙Ｘ２の表面側から通し、前記台紙Ｘ２表面に対して前記シート体１０の裏面を貼り付けることにより前記台紙Ｘ２に固定する。【選択図】図３
0003146315.tif 000002
【実用新案登録請求の範囲】
【請求項１】
粘着面が裏面側に形成されたシート体と、
前記シート体の裏面側に固定される先端に押圧部を有する押圧体と、
前記シート体の表面側に固定される装飾体と
からなる耳つぼ用押圧具と、
表面が前記粘着面に対して剥離容易に形成される台紙であって、前記押圧体が貫通する１以上の貫通孔と、貫通孔から台紙の縁部に至る切れ込みとを有する台紙とからなり、
１以上の前記耳つぼ押圧具を、前記各貫通孔に前記押圧体を表面側から通し、前記第視表面に前記シート体の裏面を貼り付けることにより、前記台紙に固定した
台紙付き耳つぼ押圧具。
【請求項２】
前記装飾体は、前記シート体と分離しているとともに、前記シート体の表面もしくは前記シート体の表面側に突出する押圧体の一部に対して固定可能に形成されるものである請求項１に記載の台紙付き耳つぼ押圧具。
【請求項３】
請求項２に記載の装飾体が分離した台紙付き耳つぼ押圧具。
【考案の詳細な説明】
【技術分野】
【０００１】
本考案は、耳つぼを押圧する器具に関し、特に、装飾効果を有するものに関する。
【背景技術】
【０００２】
精神安定や食欲抑制などを目的として、耳のつぼに粒針といわれる突起物を粘着テープで固定する耳つぼの刺激方法がある。この方法においては、粘着テープで粒針を固定するので、見た目があまりよくないという問題があった。これを解決するものとして、例えば、下記特許文献１、２には、粒針等を粘着シートの裏面に形成される粘着面側に固定するとともに、表面側に装飾物を固定するつぼの押圧具が示されている。このように、表面側に装飾物を固定することで、粒針をつぼに貼り付けた際に貼り付けた部分を装飾することができ、見た目をよくすることができる。
【特許文献１】実用新案登録第３１２０９６２号公報
【特許文献２】実用新案登録第３０９２５００号公報
【考案の開示】
【考案が解決しようとする課題】
【０００３】
ところで、上記のつぼの押圧具は粘着シートを用いるために、収納運搬時には粘着部分が張り付かないように通常は粘着シートの粘着部分に剥離紙を貼り付けておき、使用時に剥離紙を剥がすようにすることが一般的である。しかし、耳つぼ用であるために、粘着シートは数ミリの大きさであり、粘着面の中央に粒針が設けられているので、一つ一つの押圧具から剥離紙を剥がすと、うまく剥がれない場合が多い。また、複数個の押圧具を一つの剥離紙に固定すると、つかみやすくなるので作業しやすくなるが、この場合は、粘着シートの端部が捉えにくくなり、やはり剥がしにくいという問題が生じる。
本考案は、このような問題に鑑み、粘着シートの中央に粒針が設けられた装飾を兼ねた耳つぼ用の押圧具を剥がしやすくすることを課題とする。
【課題を解決するための手段】
【０００４】
上記課題を解決するために、本考案は次のような構成を有する。
請求項１に記載の考案は、粘着面が裏面側に形成されたシート体と、前記シート体の裏面側に固定される先端に押圧部を有する押圧体と、前記シート体の表面側に固定される装飾体とからなる耳つぼ用押圧具と、表面が前記粘着面に対して剥離容易に形成される台紙であって、前記押圧体が貫通する１以上の貫通孔と、貫通孔から台紙の縁部に至る切れ込みとを有する台紙とからなり、１以上の前記耳つぼ押圧具を、前記各貫通孔に前記押圧体を台紙の表面側から通し、前記台紙表面に対して前記シート体の裏面を貼り付けることにより、前記台紙に固定した台紙付き耳つぼ押圧具である。
請求項２に記載の考案は、前記台紙付き耳つぼ押圧具において、前記装飾体は、前記シート体と分離しているとともに、前記シート体の表面もしくは前記シート体の表面側に突出する押圧体の一部に対して固定可能に形成されるものである。
請求項３に記載の考案は、請求項２に記載の装飾体が分離した台紙付き耳つぼ押圧具である。
【考案の効果】
【０００５】
請求項１に記載の考案は、台紙に複数の耳つぼ押圧具が固定されることで、耳つぼ押圧具を取り外す際に、小さな耳つぼ押圧具を台紙を持つことで安定して持つことができ、台紙の縁部から貫通孔に至る切れ込みが形成されることで、切れ込みを構成する一方の縁部を耳つぼ押圧具のシート体から離すように剥離させることで、シート体の粘着面の一部を剥離させ、この部分を持ってシート体全体を台紙から容易に剥離させることができる。
請求項２に記載の考案は、装飾体を分離しておき、これを後から固定可能に形成することで、装飾体の種類を複数容易しておけば、使用に際して任意の装飾体を耳つぼ押圧具に固定して使用することができ、耳つぼの押圧と同時に、使用者の嗜好にあった装飾を耳飾りとして固定することができる。
【考案を実施するための最良の形態】
【０００６】
以下、本考案の実施形態について、図を参照しながら説明する。
図１（ａ）（ｂ）に実施形態にかかる台紙付き耳つぼ押圧具Ｘの斜視図を示す。図１（ａ）は表面から見た斜視図であり、図１（ｂ）は裏面から見た斜視図である。台紙付き耳つぼ押圧具Ｘは、台紙Ｘ２に耳つぼ押圧具Ｘ１が複数貼り付けられたものである。図２に、一つの耳つぼ押圧具Ｘ１近傍の拡大斜視図を示し、図３に、一つの耳つぼ押圧具Ｘ１部分の拡大縦断面図を示す。
耳つぼ押圧具Ｘ１は、円板状のシート体１０、金属製の球体からなる押圧体２０、ラインストーンからなる装飾部３０により構成される。シート体１０は約７ｍｍの透明な合成樹脂製の円板体で、裏面は粘着層が形成され、台紙Ｘ２の表面に剥離可能の貼り付けられている。押圧体は、金、銀、マンガン、イオウ、りん、ケイ素、炭素を含有する約１ｍｍの球体から構成され、シート体１０の裏面中央に接着剤により固定されている。この球体の先端側が押圧部を構成する。装飾部３０は、クリスタルガラスからなる略半球状体で底面側がシート体１０の表面中央に接着剤により固定され、上面側が装飾的に複数の面を形成するようにカットされている。なお、シート体１０、押圧体２０、装飾体３０の形状や材質は、ここに例示するものに限定されるものではない。
台紙Ｘ２は、長方形状の紙から構成され、表面側が耳つぼ押圧具Ｘ１のシート体１０の粘着層に対して剥離可能に合成樹脂がコーティングされている。台紙Ｘには、耳つぼ押圧具Ｘ１が貼り付けられるそれぞれの位置に、押圧体２０が通る貫通孔６０が設けられるとともに、各貫通孔６０に対し、各貫通孔６０の縁部から台紙Ｘ２の縁部に至る切れ込み５０が形成されている。
【０００７】
次に、以上のような構成を有する台紙付き耳つぼ押圧具Ｘの使用方法について説明する。使用者は、まず、台紙Ｘ２から耳つぼ押圧具Ｘ１を取り外す必要があるが、その際に、台紙Ｘ２を持って、図４に示すように、取り外す耳つぼ押圧具Ｘ１の位置にある切れ込み５０を構成する２つの縁部のうちの一方を裏面側に曲げる。すると、曲げた方の縁部に連なる台紙Ｘ２に張り付いていた耳つぼ押圧具Ｘ１のシート体１０の一部１０ａが台紙Ｘ２から剥がれる。この剥がれた部分を持って、耳つぼ押圧具Ｘ１を剥がすことで、簡単かつシート体の粘着部同士がくっつくことなくきれいに耳つぼ押圧具Ｘ１を剥がすことができる。その後は、取り外した耳つぼ押圧具Ｘ１を耳つぼの所望の位置に押圧部２０が当たるにようにシート体１０を耳に貼り付けることで、耳つぼへの取付が完了する。
【０００８】
なお、上記実施形態では、装飾体３０を当初よりシート体１０に接着剤により固定していたが、当初はこれを分離しておき、使用者が装飾体３０を固定するようにしてもよい。固定の方法として、例えば、図５（ａ）に示すように、押圧部２０Ａのシート体１０側に雄ねじ１１を立設するとともに、これをシート体１０の表面側に貫通させて固定しておき、装飾体３０Ａの裏面に、雄ねじ１１に係合する雌ねじ３１を設けておく。これにより、使用者は、使用に際して、台紙Ｘ２に固定されている装飾体の無い耳つぼ押圧具に対して、装飾体３０Ａを適宜選択して固定し、その後、上述したように台紙Ｘ２から耳つぼ押圧具を取り外して使用する。また、その他の固定の方法として、図５（ｂ）に示すように、シート体１０の表面側を平らな状態としておき、使用者が任意の装飾体３０Ｂを接着剤により固定するようにしてもよい。このように、装飾体を後から固定できるようにすることにより、使用者の好みに応じた装飾体を適宜選択して、使用することができ、また、シート体１０が台紙に固定されているので、装飾体の固定作業も比較的容易に行うことができる。
【図面の簡単な説明】
【０００９】
【図１】（ａ）は、実施形態に係る台紙付き耳つぼ押圧具の表面側の斜視図であり、（ｂ）は実施形態に係る台紙付き耳つぼ押圧具の裏面側の斜視図である。
【図２】一の耳つぼ押圧具近傍の拡大斜視図である。
【図３】一の耳つぼ押圧具部分の拡大縦断面図である。
【図４】耳つぼ押圧具を台紙から剥がす状態を示す拡大斜視図である。
【図５】（ａ）（ｂ）ともに装飾体を分離した台紙付き耳つぼ押圧具の例を示す拡大斜視図である。
【符号の説明】
【００１０】
Ｘ  台紙付き耳つぼ押圧具
Ｘ１  耳つぼ押圧具
Ｘ２  台紙
１０  シート体
２０  押圧体
３０  装飾体
６０  切れ込み
５０  貫通孔
【図１】
0003146315.tif 000003
【図２】
0003146315.tif 000004
【図３】
0003146315.tif 000005
【図４】
0003146315.tif 000006
【図５】
0003146315.tif 000007
【手続補正書】
【提出日】平成20年9月12日(2008.9.12)
【手続補正１】
【補正対象書類名】実用新案登録請求の範囲
【補正対象項目名】全文
【補正方法】変更
【補正の内容】
【実用新案登録請求の範囲】
【請求項１】
粘着面が裏面側に形成されたシート体と、
前記シート体の裏面側に固定される先端に押圧部を有する押圧体と、
前記シート体の表面側に固定される装飾体と
からなる耳つぼ用押圧具と、
表面が前記粘着面に対して剥離容易に形成される台紙であって、前記押圧体が貫通する１以上の貫通孔と、貫通孔から台紙の縁部に至る切れ込みとを有する台紙とからなり、
１以上の前記耳つぼ押圧具を、前記各貫通孔に前記押圧体を表面側から通し、前記台紙表面に前記シート体の裏面を貼り付けることにより、前記台紙に固定した
台紙付き耳つぼ押圧具。
【請求項２】
前記装飾体は、前記シート体と分離しているとともに、前記シート体の表面もしくは前記シート体の表面側に突出する押圧体の一部に対して固定可能に形成されるものである請求項１に記載の台紙付き耳つぼ押圧具。
【請求項３】
請求項２に記載の装飾体が分離した残りの部分からなる台紙付き耳つぼ押圧具。